(57)【要約】【課題】  コンパクト化を図っても、結束テープの弛みによる影響を防止できる紙幣結束機の提供。【解決手段】  結束テープＴをテープロールＴＲから引き出すテープ搬送手段と、テープ搬送手段で供給される結束テープＴを所定枚数集積された集積紙幣に巻回させる巻回手段と、巻回手段で集積紙幣に巻回された後にテープ搬送手段で引き戻された結束テープＴの集積紙幣とテープ搬送手段との間部分を切断する切断手段と、切断手段で切断された結束テープＴの切断端側を集積紙幣に巻回された部分に接着させる接着手段と、テープロールＴＲに結束テープＴを巻き戻す結束テープ巻戻手段８１とを有する。【選択図】        図３
2006306487.tif 000002
【特許請求の範囲】
【請求項１】
結束テープをテープロールから引き出すテープ搬送手段と、
該テープ搬送手段で供給される結束テープを所定枚数集積された集積紙幣に巻回させる巻回手段と、
該巻回手段で前記集積紙幣に巻回された後に前記テープ搬送手段で引き戻された結束テープの前記集積紙幣と前記テープ搬送手段との間部分を切断する切断手段と、
該切断手段で切断された結束テープの切断端側を前記集積紙幣に巻回された部分に接着させる接着手段とを有する紙幣結束機において、
前記テープロールに結束テープを巻き戻す結束テープ巻戻手段を有することを特徴とする紙幣結束機。
【請求項２】
前記結束テープ巻戻手段は、前記テープ搬送手段による結束テープの引き戻しとタイミングを合わせて前記テープロールに結束テープを巻き戻すことを特徴とする請求項１記載の紙幣結束機。
【請求項３】
前記結束テープ巻戻手段は、前記テープロールの外周部に接触して回転することにより該テープロールを回転させて結束テープを巻き戻す接触回転部材を有しており、該接触回転部材の位置に基づいて前記テープロールの残量を検出することを特徴とする請求項１または２記載の紙幣結束機。
【請求項４】
前記接触回転部材は、前記テープロールと平行な軸を中心に揺動可能な揺動部に設けられたベルトであり、前記揺動部の揺動角度から前記ベルトの位置を検出することを特徴とする請求項３記載の紙幣結束機。
【請求項５】
前記結束テープ巻戻手段は、ワンウェイクラッチと、該ワンウェイクラッチを介して前記接触回転手段を駆動するモータとを有することを特徴とする請求項３または４記載の紙幣結束機。
【発明の詳細な説明】
【技術分野】
【０００１】
本発明は、紙幣結束機に関する。
【背景技術】
【０００２】
バラ紙幣を結束する紙幣結束機に関する技術として、機体下部右側に、入金口に入金されたバラ紙幣を搬送しつつ識別し、識別結果に基づいて金種別に一時貯留させるとともに、入金が確定するとバラ紙幣を金種別に収納させるバラ紙幣処理部が設けられ、機体上部に、バラ紙幣処理部から繰り出されたバラ紙幣を所定枚数ずつ集積させて結束テープを巻き回して小束紙幣とする結束処理部が設けられ、さらに、機体下部左側に小束紙幣を出金可能に金種別の束収納部に収納させる束紙幣処理部が設けられたものがある（例えば特許文献１参照）。この紙幣結束機は、金融機関において窓口から離れた別室に置かれ、いわゆる出納機として用いられるものであり、その大きさに比較的制限が少ないものである。
【０００３】
紙幣結束機に設けられる結束部は、通常、テープロールから結束テープをテープ搬送ローラで引き出し、このテープ搬送ローラから供給される結束テープを所定枚数集積された集積紙幣に巻回させた後、テープ搬送ローラで結束テープを引き戻して集積紙幣側の結束テープの弛みを取り、結束テープを切断して熱接着させるようになっている（例えば特許文献２参照）。
【０００４】
上記した出納機に対して、窓口に置かれるテラー機は、テラーカウンタの下側に配置されるものであることから、小型化が必要であり、特に高さ方向の大きさに制限がある。このような理由から、テラー機は、機能を絞る必要があり、紙幣については通常バラ紙幣のみを取り扱うようになっている。しかしながら、テラー機においても小束紙幣を出金させる要望があり、別途結束された小束紙幣を収納し出金させる装置が開示されている（例えば特許文献３参照）。
【特許文献１】特開２０００−１７７９３５号公報
【特許文献２】特開平８−３２４５０９号公報
【特許文献３】特開平１−９４４９４号公報
【発明の開示】
【発明が解決しようとする課題】
【０００５】
さらに要望は深まって、テラー機においてもバラ紙幣を結束させる機能を組み込む要望があり、そのためには、結束部を可能な限りコンパクトにしなければならず、各部のスペースを詰めなければならない。しかしながら、結束部の各部のスペースを詰めた場合、各部に干渉の問題が生じてくる。例えば、テープロールから繰り出された結束テープに弛みが残ると、この弛みが各部に干渉する等して影響を及ぼす可能性がある。つまり、テープ搬送ローラから結束テープをテープ搬送ローラで引き出し、このテープ搬送ローラから供給される結束テープを所定枚数集積された集積紙幣に巻回させた後、テープ搬送ローラで結束テープを引き戻して集積紙幣側の結束テープの弛みを取ると、テープ搬送ローラとテープロールとの間に結束テープの弛みが移ることになり、この弛みが各部との干渉等の影響を及ぼすのである。勿論、コンパクト化はテラー機に限らずにすべての紙幣結束機において望まれており、上記した結束テープの弛みの影響はすべての紙幣結束機において生じ得る課題である。
【０００６】
したがって、本発明は、コンパクト化を図っても、結束テープの弛みによる影響を防止できる紙幣結束機の提供を目的とする。
【課題を解決するための手段】
【０００７】
上記目的を達成するために、請求項１に係る発明は、結束テープをテープロールから引き出すテープ搬送手段と、該テープ搬送手段で供給される結束テープを所定枚数集積された集積紙幣に巻回させる巻回手段と、該巻回手段で前記集積紙幣に巻回された後に前記テープ搬送手段で引き戻された結束テープの前記集積紙幣と前記テープ搬送手段との間部分を切断する切断手段と、該切断手段で切断された結束テープの切断端側を前記集積紙幣に巻回された部分に接着させる接着手段とを有する紙幣結束機において、前記テープロールに結束テープを巻き戻す結束テープ巻戻手段を有することを特徴としている。
【０００８】
請求項２に係る発明は、請求項１に係る発明において、前記結束テープ巻戻手段は、前記テープ搬送手段による結束テープの引き戻しにタイミングを合わせて前記テープロールに結束テープを巻き戻すことを特徴としている。
【０００９】
請求項３に係る発明は、請求項１または２に係る発明において、前記結束テープ巻戻手段は、前記テープロールの外周部に接触して回転することにより該テープロールを回転させて結束テープを巻き戻す接触回転部材を有しており、該接触回転部材の位置に基づいて前記テープロールの残量を検出することを特徴としている。
【００１０】
請求項４に係る発明は、請求項３に係る発明において、前記接触回転部材は、前記テープロールと平行な軸を中心に揺動可能な揺動部に設けられたベルトであり、前記揺動部の揺動角度から前記ベルトの位置を検出することを特徴としている。
【００１１】
請求項５に係る発明は、請求項３または４に係る発明において、前記結束テープ巻戻手段は、ワンウェイクラッチと、該ワンウェイクラッチを介して前記接触回転手段を駆動するモータとを有することを特徴としている。
【発明の効果】
【００１２】
請求項１に係る発明によれば、テープロールから結束テープをテープ搬送手段で引き出し、このテープ搬送手段から供給される結束テープを巻回手段で、所定枚数集積された集積紙幣に巻回させた後、テープ搬送手段で結束テープを引き戻して集積紙幣側の結束テープの弛みを取り、結束テープの集積紙幣とテープ搬送手段との間部分を切断手段で切断して、切断手段で切断された結束テープの切断端側を集積紙幣に巻回された部分に接着手段で接着させることになるが、テープ搬送手段で結束テープを引き戻して集積紙幣側の結束テープの弛みを取る際にテープ搬送手段とテープロールとの間に移る弛みを、結束テープ巻戻手段が結束テープをテープロールに巻き戻すことで吸収する。したがって、コンパクト化を図っても、結束テープの弛みによる影響を防止することができる。
【００１３】
請求項２に係る発明によれば、テープ搬送手段で結束テープを引き戻して集積紙幣側の結束テープの弛みを取る際に、結束テープ巻戻手段が、テープ搬送手段による結束テープの引き戻しとタイミングを合わせてテープロールに結束テープを巻き戻すことになるため、テープ搬送手段とテープロールとの間に弛みを一切生じさせずに吸収することが可能になる。したがって、結束テープの弛みによる影響を確実に防止することができる。
【００１４】
請求項３に係る発明によれば、結束テープ巻戻手段が、テープロールの外周部に接触して回転することによりテープロールを回転させる接触回転部材を有しており、この接触回転部材の位置に基づいてテープロールの残量を検出することになるため、テープロールへの結束テープの巻き戻しのための接触回転部材をテープロールの残量検出機構と兼用できる。したがって、コストを低減できるとともに、さらなるコンパクト化を図ることができる。
【００１５】
請求項４に係る発明によれば、接触回転部材が、テープロールと平行な軸を中心に揺動可能な揺動部に設けられたベルトであるため、テープロールに広い面で接触しつつ回転することができ、よって、テープロールへの結束テープの巻き戻しを良好に行うことができる。そして、このベルトが巻回された揺動部の揺動角度からベルトの位置を検出するため、簡素な構造でテープロールの残量を検出することができる。
【００１６】
請求項５に係る発明によれば、接触回転手段とこれを駆動するモータとの間にワンウェイクラッチを設けて、テープロールから結束テープをテープ搬送手段で引き出す際にモータを、テープ搬送手段で結束テープを引き出す速度よりも速い速度で回転させることでテープロールと連れ回りする接触回転部材を空転させることができるため、巻き戻しのための各部が大きな抵抗にならず、テープロールから結束テープをテープ搬送手段で円滑に引き出すことができる。
【発明を実施するための最良の形態】
【００１７】
本発明の一実施形態に係る貨幣入出金機（紙幣結束機）を図面を参照して以下に説明する。
【００１８】
本実施形態の貨幣入出金機１１は、図１に示すように、その機体１２が略直方体形状をなしており、入金されたバラ紙幣を収納し、収納したバラ紙幣を必要に応じて出金させるバラ紙幣処理部１３が下部に設けられる一方、その上側の中間層部に、必要によりバラ紙幣を所定枚数（１００枚）で結束して小束紙幣として出金させる束紙幣処理部１４が設けられ、その上側の上層部に、入金されたバラ硬貨を収納し、収納したバラ硬貨を必要に応じて出金させるバラ硬貨処理部１５が設けられている。この貨幣入出金機１１は、金融機関においてテラーカウンタの下側に配置されるテラー機である。
【００１９】
バラ紙幣処理部１３には、その機体１２の前面１２Ｆ側の上部に、バラ紙幣が長手方向を機体左右方向に沿わせた姿勢で積層状態で投入される入金口２１が設けられており、この入金口２１のさらに上側に機体１２内からバラ紙幣が繰り出されるバラ出金口２２が設けられ、入金口２１の下側に機体１２内からリジェクト紙幣が繰り出されるリジェクト口２３が設けられている。
【００２０】
また、バラ紙幣処理部１３には、入金口２１から一枚ずつ分離して機体１２内に取り込まれたバラ紙幣の金種、真偽、正損、表裏方向および搬送異常の有無の識別と計数とを行う入金識別部２５が設けられており、その下流側に入金識別部２５の識別結果に基づいてバラ紙幣の表裏を取り揃える表裏取揃部２６が設けられている。
【００２１】
さらに、バラ紙幣処理部１３には、入金識別部２５で受入可能と識別され、表裏取揃部２６で表裏が取り揃えられたバラ紙幣を入金識別部２５の鑑別結果に基づいて分類し、集積状態で一時貯留させる一時貯留部３０〜３４が設けられており、各一時貯留部３０〜３４の下方に、上方の一時貯留部３０からバラ紙幣を受け入れて収納する収納部３７および一時貯留部３１〜３４のうち上方のものからバラ紙幣を受け入れて収納するとともに収納した紙幣を最下のものから一枚ずつ出金可能な収納部３８〜４１が一対一で設けられている。なお、入金識別部２５で受入可能と識別された紙幣を一時貯留部３０〜３４に貯留させずにそのまま束紙幣処理部１４に搬送して結束させることも可能となっている。
【００２２】
加えて、バラ紙幣処理部１３には、上記した収納部３８〜４１から出金されたバラ紙幣の金種、真偽、正損および搬送異常の有無の識別と計数とを行う出金判別部４４と、出金判別部４４の判別結果に基づき出金リジェクト紙幣を収納する出金リジェクトボックス４５とが設けられている。ここで、バラ紙幣処理部１３から出金され、出金判別部４４で判別されたバラ紙幣は、バラ出金口２２、出金リジェクトボックス４５および束紙幣処理部１４に選択的に搬送可能とされている。
【００２３】
束紙幣処理部１４には、バラ紙幣処理部１３から搬送されてきた紙幣を上下方向に集積させる集積部４８と、その前側にあって、集積された紙幣を受け取って結束テープＴを巻き回す、つまり結束テープＴで結束する結束処理を行って小束紙幣とする結束部４９と、結束部４９で結束された小束紙幣を機体前方に略水平に押し出す受渡機構部５２と、受渡機構部５２で受け渡された小束紙幣を搬送する小束搬送部５０とを有している。この小束搬送部５０は、束紙幣処理部１４における機体１２の前面１２Ｆ側に設けられた小束出金口５１に、その後方の結束部４９から受渡機構部５２を介して受け取った小束紙幣を搬送する。
【００２４】
上記のような構成のバラ紙幣処理部１３および束紙幣処理部１４においては、入金口２１に投入されたバラ紙幣を機体１２内に収納するバラ紙幣収納処理時および入金口２１に投入されたバラ紙幣のうち指定金種の紙幣を結束して小束紙幣とするローカル整理処理時において、入金口２１に投入され機体１２内に取り込まれたバラ紙幣は、まず入金識別部２５で識別されることになる。そして、入金識別部２５で真紙幣かつ正紙幣かつ正常搬送の紙幣と識別された紙幣以外のバラ紙幣がリジェクト口２３に返却される。
【００２５】
入金識別部２５で真紙幣かつ正紙幣かつ正常搬送の紙幣と識別されたバラ紙幣は、適宜表裏取揃部２６で表裏が取り揃えられた後、バラ紙幣収納処理時においては、一時貯留部３１〜３４の対応する金種のものに送り込まれることになり、一時貯留部３１〜３４で一時貯留された後、入金識別部２５による識別結果の図示略の表示部への表示に基づいて入金確定操作が図示略の操作部に入力されると、金種別に分けられた状態で収納部３７〜４１に収納される。他方、入金識別部２５で真紙幣かつ正紙幣かつ正常搬送の紙幣と識別されたバラ紙幣は、ローカル整理処理時には、適宜表裏取揃部２６で表裏が取り揃えられた後、束紙幣処理部１４の集積部４８に送られることになる。ここで、集積部４８では、送り込まれた紙幣を位置を合わせて所定枚数上下方向に集積させる。
【００２６】
収納部３８〜４１に収納されたバラ紙幣を出金させるバラ紙幣出金処理時、収納部３８〜４１に収納されたバラ紙幣を結束して小束紙幣とする結束処理時、収納部３８〜４１に収納されたバラ紙幣の収納量を確定する精査処理時および収納部３８〜４１のうちの所定のものに収納された混合金種の紙幣を他のものに装填する装填処理時には、収納部３８〜４１の少なくとも一つから紙幣を繰り出すことになり、繰り出された紙幣は、まず出金判別部４４で判別されることになる。そして、出金判別部４４で真紙幣かつ正紙幣かつ正常搬送の出金可能紙幣と判別されたバラ紙幣は、バラ紙幣出金処理時には、バラ紙幣出金口２２に繰り出されることになり、結束処理時には、集積部４８に送られて所定枚数ずつ位置を合わせて集積され、結束部４９で結束されて、受渡機構部５２および小束搬送部５０を介して小束出金口５１から出金される。また、精査処理時および装填処理時には、一時貯留部３０〜３４のうちの対応するものに搬送される。他方、いずれの場合も、出金判別部４４で真紙幣かつ正紙幣かつ正常搬送の紙幣と識別された紙幣以外のバラ紙幣は出金リジェクトボックス４５に収納される。
【００２７】
上記した結束部４９は、図２に示すように、上下方向に昇降可能であって互いに接離可能な一対の上挟持部材６０および下挟持部材６１を有している。上挟持部材６０は中央部が下方に突出するように略Ｖ字状をなすブロック体であり、下挟持部材６１は中央部が下方に突出するように略Ｖ字状をなす板状体である。そして、上挟持部材６０および下挟持部材６１は、集積部４８で所定枚数集積されて機体前方に送られてきた集積紙幣Ｓの長手方向の一部を間に挟持することで略Ｖ字状に軽く折り曲げる。
【００２８】
結束部４９は、図３および図４に示すように、鉛直方向に沿う回転自在の回転軸６３を有してベース６４に設けられるテープロール取付部６５を有しており、このテープロール取付部６５には、テープロールＴＲが回転軸６３を中心に回転可能に設けられている。このテープロールＴＲは、長尺状の結束テープＴが多重に巻き付けられて構成されており、外周側から結束テープＴを繰り出すものである。ベース６４には、テープロール取付部６５に取り付けられたテープロールＴＲから繰り出される結束テープＴを案内する複数のガイドローラ６８が設けられており、また、ガイドローラ６８で案内される結束テープＴに必要な印字を行う印字装置６９が設けられている。
【００２９】
また、結束部４９は、テープロール取付部６５に取り付けられたテープロールＴＲから離れた結束テープＴを図２に示すように厚さ方向両側から挟持して引き出す一対のテープ搬送ローラ（テープ搬送手段）７０，７１を有している。これらテープ搬送ローラ７０，７１は図示略のモータによって正逆回転可能とされている。
【００３０】
さらに、結束部４９は、テープ搬送ローラ７０，７１から供給された結束テープＴをテープ挟持部７４で挟持するとともに、このテープ挟持部７４を集積紙幣Ｓを挟持した状態の上挟持部材６０および下挟持部材６１の周囲を回るように旋回させることで、結束テープＴを集積紙幣Ｓに巻回させる結束テープ巻回機構（巻回手段）７５を有している。
【００３１】
加えて、結束部４９は、テープ搬送ローラ７０，７１と結束テープ巻回機構７５との間に配置され、結束テープ巻回機構７５で集積紙幣Ｓに巻回された結束テープＴの集積紙幣Ｓとテープ搬送ローラ７０，７１との間部分を切断するカッタ（切断手段）７７と、結束テープＴの切断端側を集積紙幣Ｓの側部に押し付ける移動可能な押付部材７９と、カッタ７７で切断された結束テープＴの切断端側を集積紙幣Ｓに巻回された部分に熱接着させる移動可能なヒータ（接着手段）７８とを有している。
【００３２】
結束部４９は、集積部４８で所定枚数集積されて機体前方に送られてきた集積紙幣Ｓの長手方向端側の一部を上挟持部材６０および下挟持部材６１の間に挟持し、この状態でテープロール取付部６５に取り付けられたテープロールＴＲから結束テープＴを一対のテープ搬送ローラ７０，７１で引き出し、このテープ搬送ローラ７０，７１から供給される結束テープＴを結束テープ巻回機構７５のテープ挟持部７４で挟持しながら、このテープ挟持部７４を旋回させることで集積紙幣Ｓに巻回させる。そして、巻回後、テープ搬送ローラ７０，７１を逆転させることで結束テープＴをテープロールＴＲ側に引き戻して集積紙幣Ｓ側の結束テープＴの弛みを取り、押付部材７９で結束テープＴを集積紙幣Ｓの側部に押し付けた状態で結束テープＴの集積紙幣Ｓとテープ搬送ローラ７０，７１との間部分をカッタ７７で切断して、結束テープＴの切断端側を集積紙幣Ｓに巻回された部分にヒータ７８で押し付けることで熱接着させることになる。
【００３３】
そして、本実施形態において、結束部４９は、図３および図４に示すように、ベース６４上のテープロール取付部６５に取り付けられたテープロールＴＲから繰り出された結束テープＴを巻き戻し可能な結束テープ巻戻機構（結束テープ巻戻手段）８１を有している。
【００３４】
この結束テープ巻戻機構８１は、テープロール取付部６５の側方において、テープロール取付部６５の回転軸６３と平行、つまりテープロール取付部６５に取り付けられたテープロールＴＲと平行な回動軸８２と、この回動軸８２からその半径方向外方に延出するように設けられこの回動軸８２を中心に揺動可能に設けられた揺動部８３とを有している。
【００３５】
揺動部８３は、回動軸８２からその半径方向外方に延出するように回動軸８２の上端部に固定されるフレーム８５を有している。このフレーム８５は、水平に配置されるとともに一端側に回動軸８２が挿通される上板部８６と、この上板部８６の下側に上板部８６と平行に配置されるとともに一端側に回動軸８２が挿通される下板部８７と、これら上板部８６および下板部８７のテープロールＴＲに対し反対側の縁部同士を連結させる連結板部８８とを有しており、これらはテープロールＴＲ側に開口する断面略コ字状をなしている。また、フレーム８５には、連結板部８８の中間部からテープロールＴＲとは反対側に突出する検知板部９０と、連結板部８８の回動軸８２側の端部からテープロールＴＲとは反対側に突出する係止片部９１とが設けられている。
【００３６】
揺動部８３は、回動軸８２におけるフレーム８５の上板部８６および下板部８７の間に固定されるプーリ９３と、フレーム８５の回動軸８２とは反対側にこれと平行に設けられる支持軸９４と、この支持軸９４における上板部８６および下板部８７の間に、支持軸９４を中心に回転自在となるように設けられるプーリ９５と、これらプーリ９３とプーリ９５とに掛けられる無端の接触回転ベルト（接触回転部材，ベルト）９６とを有している。ここで、プーリ９３，９５に掛けられた接触回転ベルト９６は、テープロール取付部６５に取り付けられたテープロールＴＲと高さ位置を合わせており、そのテープロールＴＲ側の辺部９６ａの全体がフレーム８５よりもテープロールＴＲ側に突出している。
【００３７】
結束テープ巻戻機構８１は、揺動部８３のフレーム８５の係止片部９１に一端側が係止されベース６４に他端側が係止される引張バネ９８を有しており、これにより揺動部８３はテープロールＴＲ側に揺動するように付勢されている。そして、揺動部８３は、引張バネ９８の付勢力でテープロールＴＲ側に揺動してその接触回転ベルト９６の辺部９６ａをテープロールＴＲにおける結束テープＴを繰り出す前の円形状の外周部に接触させる。
【００３８】
また、結束テープ巻戻機構８１は、回動軸８２の下端部に取り付けられる外側がプーリとされたワンウェイクラッチ１００と、回動軸８２と平行に配置されるモータ１０１と、モータ１０１の駆動軸１０４のプーリ１０２とワンウェイクラッチ１００とに掛けられる無端の駆動ベルト１０３とを有している。つまり、モータ１０１は、ワンウェイクラッチ１００を介して接触回転ベルト９６を駆動する。
【００３９】
ワンウェイクラッチ１００は、モータ１０１がその駆動軸１０４を所定の巻戻方向である図３における反時計回り方向に回転させた場合には、駆動ベルト１０３を介して同方向に回転し、回動軸８２を一体に同方向に回転させる。すると、プーリ９３を介して接触回転ベルト９６を同方向に回転させることになり、その辺部９６ａをテープロールＴＲの結束テープＴを繰り出す繰出方向とは逆方向に移動させて、辺部９６ａに接触するテープロールＴＲをその結束テープＴを巻き戻す巻戻方向に回転させる。
【００４０】
他方、上記とは逆方向、つまり結束に際して結束テープＴを一対のテープ搬送ローラ７０，７１で引き出すとき、接触回転ベルト９６はテープロールＴＲの繰出方向に回転させられようとするが、このとき、ワンウェイクラッチ１００は、回転軸８２と一体に回転するように作用して、モータ１０１の制動力の影響を受けてしまう。このため、結束テープＴを一対のテープ搬送ローラ７０，７１で引き出すときには、モータ１０１を、上記とは逆方向、つまりモータ１０１の駆動軸１０４を所定の巻戻方向とは逆である図３における時計回り方向に、一対のテープ搬送ローラ７０，７１で引き出す速度よりも高速で回転させる。これにより、テープロールＴＲから結束テープＴが繰り出される際に、接触回転ベルト９６はテープロールＴＲに連れ回りするが、モータ１０１がより高速で逆回転しているため、ワンウェイクラッチ１００で空転する形となる。
【００４１】
結束テープ巻戻機構８１は、ベース６４に設けられ、テープロールＴＲがその繰り出しによって残量が少なくなってニアエンドになると、テープロールＴＲに接触回転ベルト９６により接触する揺動部８３の検知板部９０の検知状態が変化するニアエンド検知センサ１０５を有している。つまり、このニアエンド検知センサ１０５は、揺動部８３の揺動角度から接触回転ベルト９６の位置を検出し、この接触回転ベルト９６の位置に基づいてテープロールＴＲの残量を検出するものである。なお、ニアエンド検知センサ１０５は、揺動部８３の検知板部９０で光路が遮断されることによって検知板部９０を検知する光学センサとなっている。検知板部９０を有する揺動部８３とニアエンド検知センサ１０５とでテープロールＴＲの残量を検出する残量検出機構１０６が構成されている。
【００４２】
以上のような結束テープ巻戻機構８１が設けられた本実施形態の貨幣入出金機１１は、結束部４９による集積紙幣Ｓの結束時に、上記のように、集積紙幣Ｓに結束テープＴを巻回後、テープ搬送ローラ７０，７１を逆転させることで結束テープＴをテープロールＴＲ側に引き戻して集積紙幣Ｓ側の結束テープＴの弛みを取ることになるが、図示略の制御部が、このテープ搬送ローラ７０，７１の逆転、つまりテープ搬送ローラ７０，７１による結束テープＴの引き戻しとタイミングを合わせて（つまり同時に）、結束テープ巻戻機構８１のモータ１０１を巻戻方向に回転させる。すると、結束テープ巻戻機構８１は、ワンウェイクラッチ１００を介して接触回転ベルト９６が巻戻方向に回転し、図５に示すようにその辺部９６ａで面接触しているテープロールＴＲを巻戻方向に回転させる。これにより、テープロールＴＲが、繰り出していた結束テープＴを、テープ搬送ローラ７０，７１によるテープロールＴＲ側への引き戻しに合わせてテープロールＴＲに巻き戻すことになる。
【００４３】
他方、集積紙幣Ｓに結束テープＴを巻回させる際に、図示略の制御部が、このテープ搬送ローラ７０，７１の正転、つまりテープ搬送ローラ７０，７１による結束テープＴの引き出しとタイミングを合わせて（つまり同時に）、結束テープ巻戻機構８１のモータ１０１を巻戻方向とは逆方向に高速回転させる。すると、結束テープ巻戻機構８１は、ワンウェイクラッチ１００で空転する。それと同時に、テープ搬送ローラ７０，７１で結束テープＴを引き出すと、結束テープＴの繰り出しに伴って繰出方向に回転するテープロールＴＲに接触する接触回転ベルト９６が繰出方向に回転するが、ワンウェイクラッチ１００が空転するため、テープロールＴＲの回転を阻害せずに連れ回りする。
【００４４】
そして、テープロールＴＲの残量が十分でテープロールＴＲの外径が大きい状態では、揺動部８３の揺動角度が小さく、揺動部８３の検知板部９０がニアエンド検知センサ１０５で検出される。これにより、図示略の制御部は、図５に示すようにテープロールＴＲの残量が十分であると判断する。他方、結束テープＴの繰り出しによってテープロールＴＲの残量が少なくなりテープロールＴＲの外径が小さくなると、揺動部８３の揺動角度が大きくなり、そして、図３に二点鎖線で示すように揺動部８３の検知板部９０がニアエンド検知センサ１０５で検出されなくなると、図示略の制御部が、図６に示すようにテープロールＴＲの残量が少なくなったと判断してテープロールＴＲを交換する旨の警報を発生させることになる。
【００４５】
以上に述べた本実施形態の貨幣入出金機１１によれば、テープロールＴＲから結束テープＴをテープ搬送ローラ７０，７１で引き出し、このテープ搬送ローラ７０，７１から供給される結束テープＴを結束テープ巻回機構７５で、所定枚数集積された集積紙幣Ｓに巻回させた後、テープ搬送ローラ７０，７１で結束テープＴを引き戻して集積紙幣Ｓ側の結束テープＴの弛みを取り、結束テープＴの集積紙幣Ｓとテープ搬送ローラ７０，７１との間部分をカッタ７７で切断して、カッタ７７で切断された結束テープＴの切断端側を集積紙幣Ｓに巻回された部分にヒータ７８で熱接着させることになるが、テープ搬送ローラ７０，７１で結束テープＴを引き戻して集積紙幣Ｓ側の結束テープＴの弛みを取る際にテープ搬送ローラ７０，７１とテープロールＴＲとの間に移る弛みを、結束テープ巻戻機構８１が結束テープＴをテープロールＴＲに巻き戻すことで吸収する。したがって、コンパクト化を図っても、結束テープＴの弛みによる影響を防止することができる。
【００４６】
また、テープ搬送ローラ７０，７１で結束テープＴを引き戻して集積紙幣Ｓ側の結束テープＴの弛みを取る際に、結束テープ巻戻機構８１が、テープ搬送ローラ７０，７１による結束テープＴの引き戻しとタイミングを合わせてテープロールＴＲに結束テープＴを巻き戻すことになるため、テープ搬送ローラ７０，７１とテープロールＴＲとの間に弛みを一切生じさせずに無理なく吸収することが可能になる。したがって、結束テープＴの弛みによる影響を確実に防止することができる。
【００４７】
さらに、結束テープ巻戻機構８１が、テープロールＴＲの外周部に接触して回転することによりテープロールＴＲを回転させる接触回転ベルト９６を有しており、この接触回転ベルト９６の位置に基づいてテープロールＴＲの残量を検出することになるため、テープロールＴＲへの結束テープＴの巻き戻しのための接触回転ベルト９６をテープロールＴＲの残量検出機構１０６と兼用できる。したがって、コストを低減できるとともに、さらなるコンパクト化を図ることができる。
【００４８】
テープロールＴＲと平行な回動軸８２を中心に揺動可能な揺動部８３に設けられた接触回転ベルト９６を用いるため、テープロールＴＲに広い面で接触しつつ回転することができ、よって、テープロールＴＲへの結束テープＴの巻き戻しを良好に行うことができる。そして、この接触回転ベルト９６が巻回された揺動部８３の揺動角度から接触回転ベルト９６の位置を検出するため、簡素な構造でテープロールＴＲの残量を検出することができる。なお、接触回転ベルト９６に換えてローラを用いることも可能である。
【００４９】
加えて、接触回転ベルト９６とこれを駆動するモータ１０１との間にワンウェイクラッチ１００を設けて、テープロールＴＲから結束テープＴをテープ搬送ローラ７０，７１で引き出す際にモータ１０１を、テープ搬送ローラ７０，７１で結束テープＴを引き出す速度よりも速い速度で回転させることでテープロールＴＲと連れ回りする接触回転ベルト９６を空転させることができるため、巻き戻しのための各部が大きな抵抗にならず、テープロールＴＲから結束テープをテープ搬送ローラ７０，７１で円滑に引き出すことができる。
【図面の簡単な説明】
【００５０】
【図１】本発明の一実施形態に係る貨幣入出金機を概略的に示す側断面図である。
【図２】本発明の一実施形態に係る貨幣入出金機の結束部の側面図である。
【図３】本発明の一実施形態に係る貨幣入出金機の結束テープ巻戻機構の平面図である。
【図４】本発明の一実施形態に係る貨幣入出金機の結束テープ巻戻機構の側面図である。
【図５】本発明の一実施形態に係る貨幣入出金機の結束テープ巻戻機構の平面図であってテープロールの残量が十分にある状態を示すものである。
【図６】本発明の一実施形態に係る貨幣入出金機の結束テープ巻戻機構の平面図であってテープロールのニアエンドの状態を示すものである。
【符号の説明】
【００５１】
１１  貨幣入出金機（紙幣結束機）
７０，７１  テープ搬送ローラ（テープ搬送手段）
７５  結束テープ巻回機構（巻回手段）
７７  カッタ（切断手段）
７８  ヒータ（接着手段）
８１  結束テープ巻戻機構（結束テープ巻戻手段）
８３  揺動部
９６  接触回転ベルト（接触回転部材，ベルト）
１００  ワンウェイクラッチ
１０１  モータ
Ｓ  集積紙幣
Ｔ  結束テープ
ＴＲ  テープロール
【図１】
2006306487.tif 000003
【図２】
2006306487.tif 000004
【図３】
2006306487.tif 000005
【図４】
2006306487.tif 000006
【図５】
2006306487.tif 000007
【図６】
2006306487.tif 000008